(57)【要約】【課題】ＩＰ網と接続され、複数のＩＰ内線端末を収容するＩＰ電話装置において、ＩＰ電話装置に収容できるＩＰ内線端末がＰＣＭチャネルの数に制限されないＩＰ電話装置を提供する。【解決手段】ＩＰ網と接続され、複数のＩＰ内線端末を収容するＩＰ電話装置において、ＩＰ内線端末の通話サービス開始時にＩＰ内線端末の通話サービスに用いる複数のＰＣＭチャネルとＩＰ内線端末とを動的に割り当て、該ＩＰ内線端末の通話サービス終了時に該ＩＰ内線端末に割り当てたＰＣＭチャネルを開放する。【選択図】  図１
2004336139.tif 000002
【特許請求の範囲】
【請求項１】
ＩＰ網と接続され、複数のＩＰ内線端末を収容するＩＰ電話装置において、
前記ＩＰ内線端末を用いた通話サービスに際して使用される複数のＰＣＭチャネルと、
前記複数のＰＣＭチャネルの内の前記通話サービスに使用中のＰＣＭチャネルを該ＩＰ内線端末に対応して管理する管理手段と、
前記ＩＰ内線端末の通話サービス開始時に前記管理手段を参照して前記複数のＰＣＭチャネルを該ＩＰ内線端末に動的に割り当てる割当手段と、
前記割当手段で割り当てられたＰＣＭチャネルを前記ＩＰ内線端末の通話サービス終了時に開放する開放手段と
を具備することを特徴とするＩＰ電話装置。
【発明の詳細な説明】
【０００１】
【発明の属する技術分野】
本発明は、複数のＩＰ内線端末を収容するＩＰ電話装置に関し、特に、各ＩＰ内線端末の通話サービス時に用いる複数のＰＣＭチャネルを各ＩＰ内線端末に対して動的に割り当てるようにしたＩＰ電話装置に関する。
【０００２】
【従来の技術】
最近、コンピュータやネットワーク技術等の発展により、企業内にはデータ通信を行うＬＡＮ（Ｌｏｃａｌ  Ａｒｅａ  Ｎｅｔｗｏｒｋ）等のデータ通信ネットワークと電話通信を行う内線電話回線網の２つのネットワークが設けられている。
【０００３】
そして、従来の内線電話回線網では、企業内にＰＢＸ（Ｐｒｉｖａｔｅ  Ｂｒａｎｃｈ  Ｅｘｃｈａｎｇｅ：構内交換機）を設置して、内線同士の接続や内線と公衆網との接続等を効率的に管理している。
【０００４】
ところで、インターネットの普及と、音声をＩＰ（Ｉｎｔｅｒｎｅｔ  Ｐｒｏｔｏｃｏｌ）データに変換し、インターネット通信網（ＩＰ網）を介して安価に通信するＶｏＩＰ（Ｖｏｉｃｅ  Ｏｖｅｒ  ＩＰ）技術の発展に伴ない、ＩＰ網を介した電話通信を行う企業が増えてきている。
【０００５】
従来の公衆網を介して音声通信を行う電話通信システムでは、音声をアナログ信号に変換する電話機を用いて、変換したアナログ信号を公衆網を経由して通信を行っていたが、ＶｏＩＰ技術を用いた電話通信システムでは、ＩＰ網を介して通信を行うために、音声をＰＣＭ信号に変換し、変換したＰＣＭ信号をＩＰパケット化してＩＰ網を経由して通信を行う。
【０００６】
また、最近では、音声をＰＣＭ信号に変換し、ＩＰパケット化するインターネット電話機（ＩＰ電話機）が普及してきており、企業内に設置されたＬＡＮ等のデータ通信ネットワークに複数のＩＰ電話機を接続してデータ通信と音声通信とを一つのネットワークで実現することが可能となっている。
【０００７】
ここで、従来のＰＢＸに対してＬＡＮ等のネットワークにＩＰ電話機を含む音声通信の可能なコンピュータ等の機器を接続して、これらの機器の通信回線を管理、制御する装置をＩＰ−ＰＢＸ（Ｉｎｔｅｒｎｅｔ  Ｐｒｏｔｏｃｏｌ−Ｐｒｉｖａｔｅ  Ｂｒａｎｃｈ  Ｅｘｃｈａｎｇｅ：ＩＰ構内交換機）という。
【０００８】
このＩＰ−ＰＢＸを企業内に設置し、複数のＩＰ電話機を内線電話として用いることにより、従来のＰＢＸを用いた内線電話と同様な電話サービスを低料金で提供することができる。
【０００９】
ところで、特許文献１には非公式ＩＰ端末であってもインターネット電話を利用することのできるインターネット電話交換装置および方法が提案されている。
【００１０】
この特許文献１のインターネット電話交換装置は、通信サーバ手段がインターネットを介して通信する呼出通信端末と被呼出通信端末との間を、各通信端末に予め付与された識別番号を用いて中継することにより、非公式ＩＰ端末であってもインタネット電話による通話が行えるようにするものである。
【００１１】
すなわち、特許文献１のインターネット電話交換装置は、インターネットに被呼出通信端末および呼出通信端末が接続される毎にこれらの通信端末と通信サーバとを接続し、該通信端末に付与されている識別番号と通信サーバとの接続状態を管理して通信の中継をするものである。
【００１２】
【特許文献１】
特開２００１−３５８８２９号公報
【発明が解決しようとする課題】
しかし、上記特許文献１のインターネット電話交換装置においては、各通信端末間の中継できる通信端末数が通信サーバの設置台数および一つの通信サーバのＰＣＭチャネル数に応じて制限されてしまう。
【００１３】
そこで本発明は、ＩＰ内線端末の通話サービス時に用いる複数のＰＣＭチャネルとＩＰ内線端末とを動的に割り当てることによりＰＣＭチャネルの数に制限されないＩＰ電話装置を提供することを目的とする。
【００１４】
【課題を解決するための手段】
上記目的を達成するために請求項１の発明は、ＩＰ網と接続され、複数のＩＰ内線端末を収容するＩＰ電話装置において、前記ＩＰ内線端末の通話サービスに用いる複数のＰＣＭチャネルと、前記複数のＰＣＭチャネルの内の前記通話サービスに使用中のＰＣＭチャネルを該ＩＰ内線端末に対応して管理する管理手段と、前記ＩＰ内線端末の通話サービス開始時に前記管理手段を参照して前記複数のＰＣＭチャネルを該ＩＰ内線端末に動的に割り当てる割当手段と、前記ＩＰ内線端末の通話サービス終了時に前記割当手段で割り当てられたＰＣＭチャネルを開放する開放手段とを具備することを特徴とする。
【００１５】
【発明の実施の形態】
以下、この発明の実施の形態について図面を参照して説明する。
【００１６】
図１は、本発明に係るＩＰ電話装置の一実施の形態の主要部の概略構成を示したブロック図である。
【００１７】
図１において、この実施の形態のＩＰ電話装置１００は、複数のＩＰ電話機（以下、「ＩＰ内線端末１２０」という。）１２０−＃１、１２０−＃２、１２０−＃３、・・・１２０−＃ｎを収容するとともに、ＩＰ網および公衆網に接続され、各ＩＰ内線端末１２０間の内線通話および各ＩＰ内線端末１２０によるＩＰ網および公衆網を経由した外線通話を交換制御する。
【００１８】
ＩＰ内線端末１２０は、例えば音声をＰＣＭ信号に変換し、圧縮符号化およびＩＰパケット化して通信するものであり、ＬＡＮ１３０を経由してＩＰ電話装置１００に接続されている。
【００１９】
また、ＩＰ電話装置１００は、上記ＬＡＮ１３０に接続されるＩＰ内線インターフェース１０１、ＩＰ内線インターフェース１０１に接続されたｍ本のＰＣＭチャネル（ＣＨ１、ＣＨ２、・・・ＣＨｍ）から成るＰＣＭチャネル１０２、ＩＰ網に接続されるＩＰトランクインターフェース１０３、公衆網に接続される公衆網インタフェース１０４、このＩＰ電話装置１００の全体動作を統括制御するＣＰＵ（Ｃｅｎｔｒａｌ  Ｐｒｏｃｅｓｓｉｎｇ  Ｕｎｉｔ）１０５、ＴＳＷ（Ｔｉｍｅ  Ｓｗｉｃｈ）１０６、音声ゲートウェイ１０７、タイマ１０８、端末／ＣＨ管理データーベース１０９、チャネル動的割当手段１１０を具備して構成されている。
【００２０】
ＴＳＷ１０６は、ＰＣＭチャネル１０２の相互間の交換接続やＰＣＭチャネル１０２とＩＰトランクインターフェース１０３、およびＰＣＭチャネル１０２と公衆網インタフェース１０４との交換接続を制御するものである。
【００２１】
また、音声ゲートウェイ１０７は、ＶｏＩＰ技術を用いてＩＰ網上の音声通話を実現する制御を行うものである。
【００２２】
さて、この実施の形態のＩＰ電話装置１００においては、複数のＩＰ内線端末１２０に対して、ＬＡＮ１３０内におけるそれぞれのＩＰアドレスおよびＩＰ内線端末ＩＤが予め付与されており、これらのＩＰアドレスおよびＩＰ内線端末ＩＤの情報は、図２に示すような構成のテーブル１としてＩＰ電話装置１００の端末／ＣＨ管理データベース１０９に記憶管理されている。
【００２３】
テーブル１の構成は、図２に示すように左欄が各ＩＰ内線端末１２０に付与されたＩＰ内線端末ＩＤ、右欄が各ＩＰ内線端末ＩＤに対応したＩＰアドレスを示している。
【００２４】
チャネル動的割当手段１１０は、各ＩＰ内線端末１２０が通話サービスを開始する時に、ｍ本のＰＣＭチャネル１０２の内の空きチャネルを検索し、検索した空きチャネルの内のいずれかに各ＩＰ内線端末１２０を割り当てるとともに、該ＩＰ内線端末１２０の通話サービス終了後は、該割り当てたＰＣＭチャネル１０２を開放するように構成されている。
【００２５】
このチャネル動的割当手段１１０がＰＣＭチャネル１０２の内の空きチャネルを検索したり、ＩＰ内線端末１２０にＰＣＭチャネル１０２を割り当てる際には、端末／ＣＨ管理データーベース１０９に記憶管理されている各ＩＰ内線端末１２０の登録情報（図２のテーブル１参照）や各ＰＣＭチャネル１０２の使用状況等の管理情報（図３のテーブル２参照）を参照して行う。
【００２６】
ＩＰ内線インターフェース１０１は、通話サービスを開始している各ＩＰ内線端末１２０および通話サービスを開始するＩＰ内線端末１２０からＬＡＮ１３０を介して送信されてくるＩＰパケット化されたデータ（音声データおよび接続要求データ）を各ＩＰ内線端末１２０毎のＩＰパケットに分類し、該分類したＩＰパケットをチャネル動的割当手段１１０によって割り当てられた各ＩＰ内線端末１２０に対応するＰＣＭチャネル１０２に送信する。
【００２７】
ＩＰパケットは、ＩＰパケットの宛先アドレスと送信元アドレス等の情報を記録したヘッダー部とデータ部（音声データ等）から構成されているので、ＩＰパケットの送信元アドレスを参照することで、各ＩＰ内線端末１２０毎のＩＰパケットに分類することができる。
【００２８】
ＰＣＭチャネル１０２の各チャネルからＩＰ内線インターフェース１０１に入力される各ＩＰ内線端末１２０宛のＩＰパケットは、ＩＰ内線インターフェース１０１によってＬＡＮ１３０を介して各ＩＰ内線端末１２０へ送信される。
【００２９】
音声ゲートウェイ１０７は、ＰＣＭチャネル１０２から入力されたＩＰパケットを、ＩＰパケットの宛先（着呼側）情報に基づいて、ＩＰトランクインターフェース１０３または、公衆網インターフェース１０４に送信する。
【００３０】
ＩＰパケットを音声ゲートウェイ１０７から公衆網インターフェース１０４へ送信する時は、ＩＰパケットを公衆網に適合するようにＩＰパケットの分解、伸張符号化した後アナログ変換する。
【００３１】
ＩＰトランクインターフェース１０３から音声ゲートウェイ１０７に入力される各ＩＰ内線端末１２０宛てのＩＰパケットは、チャネル動的割当手段１１０によって割り当てられた各ＩＰ内線端末１２０に対応するＰＣＭチャネル１０２を参照して、音声ゲートウェイ１０７が該当するＩＰパケットを該当するＰＣＭチャネル１０２に送信する。
【００３２】
公衆網インターフェース１０４から音声ゲートウェイ１０７に入力される各ＩＰ内線端末１２０宛てのアナログ信号は、音声ゲートウェイ１０７によってＩＰパケット化され、チャネル動的割当手段１１０によって割り当てられた各ＩＰ内線端末１２０に対応するＰＣＭチャネル１０２を参照して、該当するＩＰパケットを該当するＰＣＭチャネル１０２に送信する。
【００３３】
ＩＰトランクインターフェース１０３は、音声ゲートウェイ１０７とＩＰ網との間のＩＰパケットの授受を可能とするようなインタフェース処理を行い、公衆網インターフェース１０４は、音声ゲートウェイ１０７と公衆網との間の信号の授受を可能とするようなインタフェース処理を行う。
【００３４】
ここで、この実施の形態に係るＩＰ電話装置１００の動作について、ＩＰ内線端末１２０からＩＰ網に接続されている電話機へ電話を掛ける場合と、公衆網に接続されている電話機に電話を掛ける場合とを例に説明する。
【００３５】
なお、説明を簡単にするために、例えばＰＣＭチャネル１０２のチャネル１（＝ＣＨ１）がＩＰ内線端末１２０−＃３、チャネル２（＝ＣＨ２）がＩＰ内線端末１２０−＃２に割り当てられて通話サービスが開始されている場合において、ＩＰ内線端末１２０−＃１から電話を掛ける場合を想定する。
【００３６】
まず、ＩＰ内線端末１２０−＃１の受話器を持ち上げる（オンフック）と、ＩＰ内線端末１２０−＃１がＩＰ電話装置１００のＩＰ内線インタフェース１０１に接続されると同時に、ＩＰ内線端末１２０−＃１のＩＰアドレスとポート番号がＩＰ内線インタフェース１０１に送信される。
【００３７】
ＩＰ内線インタフェース１０１は、接続されたＩＰ内線端末１２０−＃１から入力されたＩＰ内線端末１２０−＃１のＩＰアドレスに基づいて、ＩＰ内線端末１２０−＃１がＩＰ電話装置１００のサービスを受けられるＩＰ内線端末であるか否か等の認証を行う。
【００３８】
認証は、端末／ＣＨ管理データベース１０９に記憶されている図２に示すようなテーブル１にＩＰ内線端末１２０−＃１のＩＰアドレスが登録されているか否かにより行う。
【００３９】
ＩＰ内線端末１２０−＃１が認証されると、ＩＰ内線インタフェース１０１の指示によりチャネル動的割当手段１１０がＰＣＭチャネル１０２のチャネル（ＣＨ１〜ＣＨｍ）の使用状況をモニターして、空きチャネルの内の一つのチャネルをＩＰ内線端末１２０−＃１に割り当てる。
【００４０】
ＰＣＭチャネル１０２の使用状況のモニターおよび空きチャネルとＩＰ内線端末１２０との割り当ては、例えば次のような方法で行うことができる。
【００４１】
チャネル動的割当手段１１０は、ＩＰ内線インタフェース１０１からＩＰ内線端末１２０−＃１のＩＰアドレス受け取り、該ＩＰアドレスに対応するＩＰ内線端末ＩＤが既にＰＣＭチャネル１０２のいずれかのチャネルに割り当てられているか否かを端末／ＣＨ管理データベース１０９に記憶されているテーブル２を参照して確認する。
【００４２】
図３は、テーブル２の構成を示した図である。
【００４３】
図３に示すように、テーブル２は、左欄にＰＣＭチャネル１０２の各チャネルＮ０．（ＣＨ−ＮＯ．）、右欄には現在の各ＣＨ−ＮＯ．に割り当てられている各ＩＰ内線端末１２０のＩＰ内線端末ＩＤが書き込まれている。
【００４４】
図３（ａ）に示したテーブル２は、例えばＣＨ１（チャネル１）にはＩＰ内線端末＃３（ＩＰ内線端末の１２０−＃３）が割り当てられ、ＣＨ２（チャネル２）にはＩＰ内線端末＃２（ＩＰ内線端末の１２０−＃２）が割り当てられて既に通話サービス中であることを示している。
【００４５】
チャネル動的割当手段１１０は、図３（ａ）に示したテーブル２の左欄のチャネルＮ０．（ＣＨ−ＮＯ．）のＣＨ１からＣＨｍを検索し、ＣＨ３（最初に認識した空きチャネル）が空きチャネルであることを認識すると、ＣＨ３に該当するテーブル２の右欄（ＩＰ内線端末ＩＤ）にＩＰ内線端末＃１（ＩＰ内線端末の１２０−＃１）と書き込む（図３（ｂ）に示すようなテーブル２の状態となる）と同時に、ＣＨ３にＩＰ内線端末１２０−＃１を割り当てる。
【００４６】
検索したチャネルが空きチャネルであるか否かは、テーブル２の該チャネルＮＯ．（＝ＣＨ−ＮＯ．）に対応する右欄のＩＰ内線端末ＩＤが「Ｄｉｓｃｏｎｎｅｃｔ」であるか否かで識別する。
【００４７】
なお、電話通信が終了してＩＰ内線端末１２０−＃１の受話器を置く（フックオフ）と、ＩＰ内線端末１２０−＃１（ＩＰ内線端末＃１）に割り当てられたＣＨ３が開放されると同時に、テーブル２の左欄のＣＨ３に該当する右欄（ＩＰ内線端末ＩＤ）に書き込まれたＩＰ内線端末＃１は、削除（図３（ｃ）に示すようにテーブル２のＣＨ３に該当するＩＰ内線端末ＩＤが「Ｄｉｓｃｏｎｎｅｃｔ」となる）されてＩＰ内線端末１２０−＃１の通話サービスは終了する。
【００４８】
ＩＰ内線端末１２０−＃１にＣＨ３が割り当てられると、ＩＰ内線インタフェース１０１は、「通信許可」をＩＰ内線端末１２０−＃１に通知する。
【００４９】
ＰＣＭチャネル１０２の使用状況をモニターして、空きチャネルが存在しない場合（テーブル２のＣＨ１からＣＨｍに該当するＩＰ内線端末ＩＤに「Ｄｉｓｃｏｎｎｅｃｔ」が存在しない場合）には、「ＢＵＳＹ通知」をＩＰ内線インタフェース１０１がＩＰ内線端末１２０−＃１に通知する。
【００５０】
なお、「通信許可通知」や「ＢＵＳＹ通知」は、「ＢＵＳＹ」や「通信許可」を表す信号または音声等の種々の方法が可能であり、特に限定するものではない。
【００５１】
ＩＰ内線インタフェース１０１からＩＰ内線端末１２０−＃１に「通信許可」が通知されると、ＩＰ内線端末１２０−＃１から電話を掛けたい相手先（着呼側）の電話番号を入力することにより相手先と電話通信を行うことが可能となる。
【００５２】
図４は、ＩＰ内線端末１２０−＃１の通信要求（オンフック）に対して空きチャネルが存在する場合のＩＰ内線インターフェース１０１およびＣＨ（＝チャネル）動的割り当て手段１１０の処理フローの概略を示したものである。
【００５３】
図４に示すように、ＩＰ内線端末１２０−＃１の受話器を持ち上げる（オンフック）と、ＩＰ内線端末１２０−＃１がＩＰ電話装置１００のＩＰ内線インタフェース１０１に接続され、ＩＰ内線端末１２０−＃１のＩＰアドレスとポート番号がＩＰ内線インタフェース１０１に送信される。
【００５４】
ＩＰ内線インタフェース１０１は、ＩＰ内線端末１２０−＃１のＩＰアドレスに基づいて、ＩＰ内線端末１２０−＃１がＩＰ電話装置１００のサービスを受けられるＩＰ内線端末であるか否か等の認証を行う。
【００５５】
ＩＰ内線端末１２０−＃１が認証されると、ＩＰ内線端末１２０−＃１のサービスが開始されると同時に、ＩＰ内線インタフェース１０１の指示によりＣＨ（＝チャネル）動的割り当て手段１１０によってＰＣＭチャネル１０２のチャネル（ＣＨ１〜ＣＨｍ）の使用状況をモニターして、空きチャネルの内の一つのチャネルをＩＰ内線端末１２０−＃１に割り当てる。
【００５６】
ＩＰ内線端末１２０−＃１に空きチャネルの内の一つのチャネル（＝ＣＨ３）が割り当てられると、ＩＰ内線インタフェース１０１からＩＰ内線端末１２０−＃１に「通信許可」が通知され、ＩＰ内線端末１２０−＃１から電話を掛けたい相手先（着呼側）の電話番号を入力することにより相手先と電話通信を行うことが可能となる。
【００５７】
電話通信が終了してＩＰ内線端末１２０−＃１の受話器を置く（フックオフ）と、ＩＰ内線端末１２０−＃１（ＩＰ内線端末＃１）に割り当てられたＣＨ３が開放されてＩＰ内線端末１２０−＃１の通話サービスは終了する。
【００５８】
図５は、ＩＰ内線端末１２０−＃１の通信要求（オンフック）に対して空きチャネルがない場合のＩＰ内線インターフェース１０１およびＣＨ（＝チャネル）動的割り当て手段１１０の処理フローの概略を示したものである。
【００５９】
図５に示すように、ＩＰ内線端末１２０−＃１の受話器を持ち上げる（オンフック）と、ＩＰ内線端末１２０−＃１がＩＰ電話装置１００のＩＰ内線インタフェース１０１に接続され、ＩＰ内線端末１２０−＃１のＩＰアドレスとポート番号がＩＰ内線インタフェース１０１に送信される。
【００６０】
ＩＰ内線インタフェース１０１は、ＩＰ内線端末１２０−＃１のＩＰアドレスに基づいて、ＩＰ内線端末１２０−＃１がＩＰ電話装置１００のサービスを受けられるＩＰ内線端末であるか否か等の認証を行う。
【００６１】
ＩＰ内線端末１２０−＃１が認証されると、ＩＰ内線端末１２０−＃１のサービスが開始されると同時に、ＩＰ内線インタフェース１０１の指示によりＣＨ（＝チャネル）動的割り当て手段１１０によってＰＣＭチャネル１０２のチャネル（ＣＨ１〜ＣＨｍ）の使用状況をモニターする。
【００６２】
ＰＣＭチャネル１０２の使用状況のモニター結果により、空きチャネルが存在しない場合は、「ＢＵＳＹ通知」をＩＰ内線端末１２０−＃１に通知する。
【００６３】
ＩＰ内線端末１２０−＃１から送信された着呼側の電話番号情報は、ＩＰ内線インターフェース１０１の指示によりチャネル動的割当手段１１０によって割り当てられたＰＣＭチャネル１０２のＣＨ３を経由して音声ゲートウェイ１０７に入力される。
【００６４】
音声ゲートウェイ１０７は、入力された着呼側の電話番号情報から着呼側がＩＰ網に接続されている電話機であるか、若しくは公衆網に接続されている電話機であるかを識別する。
【００６５】
着呼側の電話機がＩＰ網に接続されているか、又は公衆網に接続されているかの識別は、ＩＰ内線端末１２０−＃１で着呼側の電話番号を入力する際に、例えば、最初に入力した「＊」（着呼側の電話機がＩＰ網に接続されている場合）又は「０」（着呼側の電話機が公衆網に接続されている場合）のデータを参照することにより識別することができる。
【００６６】
着呼側の電話機がＩＰ網を介して接続されている場合は、電話番号情報が音声ゲートウェイ１０７によってＩＰトランクインターフェース１０３に送信され、ＩＰトランクインターフェース１０３とＩＰ網を介して電話番号情報に対応した着呼側へ接続要求する。
【００６７】
接続要求を受け取った着呼側の電話機は、着信信号を生成して電話機のベルを鳴らし、該電話機の受話器を取ることで接続許可の通知が発呼側へ送信されて通話が開始される。
【００６８】
着呼側の電話機が公衆網を介して接続されている場合は、電話番号情報が音声ゲートウェイ１０７によって公衆網インターフェース１０４に送信され、公衆網インターフェース１０４と公衆網を介して電話番号情報に対応した着呼側へ接続要求する。
【００６９】
接続要求を受け取った着呼側の電話機は、着信信号を生成して電話機のベルを鳴らし、該電話機の受話器を取ることで接続許可の通知が発呼側へ送信されて通話が開始される。
【００７０】
【発明の効果】
以上説明したように本発明によれば、ＩＰ内線端末の通話サービス時に用いる複数のＰＣＭチャネルとＩＰ内線端末とを動的に割り当てるように構成したので、ＰＣＭチャネル数（ｍ）で制限されていたＩＰ内線端末の収容台数（ｎ）の制限をなくすことができ（ｍ＜ｎ）、ＰＣＭチャネルの有効利用が可能となる。
【００７１】
これにより、従来より少ないインタフェースで多くのＩＰ内線端末を収容でき、導入時のコストの低減を図ることができる。
【図面の簡単な説明】
【図１】本発明に係るＩＰ電話装置の一実施の形態の主要部の概略を示したブロック図である。
【図２】図１に示したＩＰ電話装置で用いるテーブル１を示す図である。
【図３】図１に示したＩＰ電話装置で用いるテーブル２を示す図である。
【図４】空きチャネルが存在する場合の処理フローの概略図である。
【図５】空きチャネルが存在しない場合の処理フローの概略図である。
【符号の説明】
１００  ＩＰ電話装置
１０１  ＩＰ内線インタフェース
１０２  ＰＣＭチャネル（ＣＨ−１〜ＣＨ−ｍ）
１０３  ＩＰトランクインタフェース
１０４  公衆網インタフェース
１０５  ＣＰＵ（＝Ｃｅｎｔｒａｌ  Ｐｒｏｃｅｓｓｉｎｇ  Ｕｎｉｔ）
１０６  ＴＳＷ（＝Ｔｉｍｅ  ＳＷｉｃｈ）
１０７  音声ゲートウェイ
１０８  タイマー
１０９  端末／ＣＨ管理データーベース
１１０  ＣＨ（＝チャネル）動的割り当て手段
１２０−＃１〜１２０−＃ｎ  ＩＰ内線端末
１３０  ＬＡＮ
【図１】
2004336139.tif 000003
【図２】
2004336139.tif 000004
【図３】
2004336139.tif 000005
【図４】
2004336139.tif 000006
【図５】
2004336139.tif 000007